(57)【特許請求の範囲】
【請求項１】
光源を配設した光源基板と、前記光源からの光を内部で拡散して出射させる導光板と、該導光板を背面側で保持する背面シャーシとを有し、前記光源を前記導光板の一つの側面に対向して設けた照明モジュールを複数配列し、
少なくとも一部の隣接する前記照明モジュールにおいて、一方の前記導光板と前記背面シャーシの一部が他方の前記導光板と前記背面シャーシに重ねられた照明システムであって、
リモコンからの送信信号を受信する受信部と、前記照明モジュール毎の明るさ調整に関するデータを記憶する記憶部と、前記受信部からの信号に基づき、前記記憶部を参照し、前記照明モジュール毎に明るさを調整する制御部とを有することを特徴とする照明システム。
【請求項２】
請求項１に記載の照明システムであって、
前記制御部は、前記照明システムの明るさが均一になるように、背面側に位置する前記照明モジュールの光源に供給する電流量を、前面側に位置する前記照明モジュールの光源に供給する電流量よりも大きくしていることを特徴とする照明システム。
【請求項３】
請求項１又は２に記載の照明システムであって、
前記記憶部と前記制御部は、前記照明モジュール毎に配置され、前記受信部は一つであり、前記受信部からの情報が複数の前記照明モジュール間で共用されることを特徴とする照明システム。
【請求項４】
請求項１から３のいずれか１項に記載の照明システムであって、
前記受信部からの信号に応じて、前記光源が点滅することを特徴とする照明システム。
【発明の詳細な説明】
【技術分野】
【０００１】
本発明は、照明システムに関し、詳細には、導光板の側面に光源を配置し、導光板からの出射光により被照明体を照明する照明システムに関する。
【背景技術】
【０００２】
電飾看板などの照明用途として、バックライトを使用して印刷物などの被照明体を照明する照明システムが知られている。このような照明システムでは、駅構内や百貨店などの遠くからでも一目を引き付けるようにするために、大画面化の要請が増大している。また、従来の照明システムでは、バックライトに蛍光管等が用いられていたが、省エネルギー化等の要請から、蛍光管に替えてＬＥＤ（Light Emitting Diode）を光源としたバックライトへの需要も増大している。
【０００３】
ＬＥＤは、一般に色純度が高く、調光安定性や高速応答性に優れている等の観点から、バックライト光源として多く用いられている。
バックライトの構成としては、拡散板の直下にＬＥＤを配置した直下型や、エッジライト型がある。エッジライト型では、複数のＬＥＤが光源基板上に列状に並べられ、ＬＥＤの発光部が導光板の側面と対向するように配置されている。
【０００４】
このため、エッジライト型では、直下型に比べて厚さを薄くすることができ、照明システムの薄型化を促進する点で有利である。また、導光板の上下両側、あるいは左右両側にＬＥＤを配置した所謂２辺エッジ方式の照明システムだけでなく、導光板の上下、あるいは左右のいずれか一方側にＬＥＤを配置した所謂１辺エッジ方式の照明システムも多く用いられている。
【０００５】
各ＬＥＤから出射した光は、導光板の入射面である側面から導光板の内部に入光し、導光板の内部で拡散しながら導光され、前面側（被照明体側）に位置する出射面から出射する。通常、導光板の背面側（被照明体と反対側）には反射シートが設置され、導光板の背面側から漏れ出た光を反射させて前面側に戻し、光の利用効率を高める。
被照明体は、例えばアクリル板などの拡散板の表面に印刷シートを貼り付けられて構成されており、導光板の出射面からの光が印刷シートの印刷内容を照らしている。
【０００６】
エッジライト型のバックライトを有した照明システムに関し、例えば、特許文献１には、二つの導光板を重ね合わせ、例えば運転席側と助手席側とのように、ＬＥＤからの光を２方向に出射させる導光板の構造が開示されている。
【先行技術文献】
【特許文献】
【０００７】
【特許文献１】特開２００８−７７９４６号公報
【発明の概要】
【発明が解決しようとする課題】
【０００８】
上記のような照明システムを製造する場合、そのサイズの量産規格が規定されているわけではなく、多様なサイズの要求が存在する。したがって、照明システム毎に必要な画面サイズに対応しなければならず、通常、照明システム毎に個別に設計して製造されている。このような状況に対し、既に規格化されている照明モジュールを複数使用して所望の画面サイズの照明システムを構築することが考えられる。具体的には、導光板及びエッジライト型のバックライトを含む照明モジュールを複数用意し、隣接する照明モジュールの導光板同士を部分的に重ね合わせればよい。
【０００９】
しかしながら、所望の画面サイズに対応した照明領域を得るために、隣接する照明モジュールの導光板の一部分を重ね合わせると、後側の導光板の明るさが前側の導光板の明るさに比べて落ちる（輝度ムラとも言う）という問題がある。上記の特許文献１では、導光板同士が完全に重なっており、導光板同士が部分的に重なり合う構造ではないため、上記の輝度ムラが発生せず、この輝度ムラを解決できるものではない。
【００１０】
本発明は、上述のような実情に鑑みてなされたもので、任意の画面サイズに対応した照明領域を得る際に、画面輝度の均一化を実現することができる照明システムを提供することを目的とする。
【課題を解決するための手段】
【００１１】
上記課題を解決するために、本発明の第１の技術手段は、光源を配設した光源基板と、前記光源からの光を内部で拡散して出射させる導光板と、該導光板を背面側で保持する背面シャーシとを有し、前記光源を前記導光板の一つの側面に対向して設けた照明モジュールを複数配列し、少なくとも一部の隣接する前記照明モジュールにおいて、一方の前記導光板と前記背面シャーシの一部が他方の前記導光板と前記背面シャーシに重ねられた照明システムであって、リモコンからの送信信号を受信する受信部と、前記照明モジュール毎の明るさ調整に関するデータを記憶する記憶部と、前記受信部からの信号に基づき、前記記憶部を参照し、前記照明モジュール毎に明るさを調整する制御部とを有することを特徴としたものである。
【００１２】
第２の技術手段は、第１の技術手段において、前記制御部は、前記照明システムの明るさが均一になるように、背面側に位置する前記照明モジュールの光源に供給する電流量を、前面側に位置する前記照明モジュールの光源に供給する電流量よりも大きくしていることを特徴としたものである。
【００１３】
第３の技術手段は、第１や第２の技術手段において、前記記憶部と前記制御部は、前記照明モジュール毎に配置され、前記受信部は一つであり、前記受信部からの情報が複数の前記照明モジュール間で共用されることを特徴としたものである。
【００１４】
第４の技術手段は、第１から第３の技術手段において、前記受信部からの信号に応じて、前記光源が点滅することを特徴としたものである。
【発明の効果】
【００１５】
本発明によれば、隣接する照明モジュールの導光板同士を重ね合わせるため、任意の画面サイズに対応した照明領域を得ることができる。そして、照明モジュール毎に明るさを調整可能に構成するので、後側の導光板の明るさが前側の導光板の明るさに比べて落ちるのを防止でき、画面輝度の均一化を実現可能になる。
【図面の簡単な説明】
【００１６】
【図１】本発明による照明システムを構成する単体の照明モジュールの組み立て構成の一例を示す図である。
【図２】本発明による照明システムを構成する単体の照明モジュールの側断面を示す図である。
【図３】本発明による照明システムの構成例を示す図であって、照明システムの正面概略図である。
【図４】図３に示す照明システムの側断面概略図である。
【図５】図３に示す照明システムを構成する単体の照明モジュールのブロック図である。
【図６】本発明による照明システムの他の構成例を示す図であって、照明システムの平面概略図及び正面概略図である。
【発明を実施するための形態】
【００１７】
図１は、本発明による照明システムを構成する単体の照明モジュールの組み立て構成の一例を示す図であり、図２は、本発明による照明システムを構成する単体の照明モジュールの側断面を示す図である。本発明に係る照明システムは、照明モジュール１０を複数使用し、任意の照明領域を得るために、隣接する照明モジュール１０の一部を重ね合わせるように構成する。まず、図１，２により、照明システムを構成するための単体の照明モジュール１０の構成を説明する。
【００１８】
照明モジュール１０は、照明モジュールを支持するバックライトシャーシ（背面シャーシ）１１と、反射シート１２と、導光板１３とを有し、これらがバックライトシャーシ１１の前面側に積層されて組み立てられる。なお、図２に示すように、照明モジュール１０は、バックライトシャーシ１１の背面側に、ＬＥＤ電源制御部１７も有している。
導光板１３は、アクリル樹脂やポリカーボネート樹脂、シクロオレフィン系樹脂（ＣＯＰ）などの材料で作成され、例えば３ｍｍ程度の厚みを有した平板状に形成されている。
【００１９】
例えば、１辺エッジ方式の照明モジュール１０では、導光板１３の一つの側面１３ｉに対向するように、光源となるＬＥＤ１５が設けられる。ＬＥＤ１５は光源基板１４に列状に配置されており、光源基板１４はハーネス（図示省略する）等を介してＬＥＤ電源制御部１７に接続されている。ＬＥＤ１５としては、一つのＬＥＤで白色を発光する白色ＬＥＤや、ＲＧＢの個々の単色光を発光するＬＥＤが用いられる。白色ＬＥＤは低コストで、必要とするＬＥＤの個数の関係からトータルの消費電力を抑えることができる等の利点がある。ＲＧＢの単色発光のＬＥＤを用いることで、広い色域性能が得られる。
【００２０】
ＬＥＤ１５で発光した光は、導光板１３の側面１３ｉから入射し、導光板１３の内部で拡散しながら導光され、導光板１３の出射面１３ｇ（図１の上側や図２の左側）から出射することで、その出射面１３ｇの前面側に置かれた被照明体を照明することができる。図１に示すように、ＬＥＤ１５が配置されていない導光板１３の他の側面１３ｈ，１３ｊ，１３ｋには、漏れ光による輝度ムラ等を抑えるために、反射テープや遮光テープ等を貼付してもよい。
【００２１】
また、導光板１３の背面側に設けられた反射シート１２は、導光板１３の背面側から漏れ出た光を反射させて前面側に戻し、光の利用効率を高めている。反射シート１２としては、例えば微発泡のＰＥＴシートが用いられる。
これら導光板１３及び反射シート１２は、金属板などにより形成されたバックライトシャーシ１１に位置決めされている。
【００２２】
バックライトシャーシ１１に剛性を付与するために、凹凸の絞り加工を施したり、バックライトシャーシ１１の背面側に補助金具等を取り付けるようにしてもよい（いずれも図示省略する）。バックライトシャーシ１１の端部は、光源基板１４を取り付けるように曲折され、その部分には、反射シート１２及び導光板１３をバックライトシャーシ１１に固定するベゼル１６が取り付けられる。
【００２３】
なお、図２で説明したＬＥＤ１５の素子の幅は、導光板１３の厚さとほぼ同じに設定されるため、必然的に光源基板１４の幅（導光板１３の厚さ方向の幅）は、導光板１３の厚さよりも大きくなる。したがって、光源基板１４は、導光板１３の表裏の面に対して、導光板１３の厚さ方向に突出する形状となる。この場合、バックライトシャーシ１１の端部を屈曲させてその壁部に光源基板１４を取り付けるようにすると、バックライトシャーシ１１の反対側、つまり、導光板１３の出射面１３ｇに、光源基板１４がより大きく突出するようになる。
【００２４】
このような単体の照明モジュール１０を複数組み合わせて所望の照明領域を有する照明システムを作成する際に、後述のように、隣接する照明モジュール１０の光源基板１４の位置が、導光板１３についてそれぞれ互いに反対側になるように構成してもよい。これにより、光源基板１４の突出による照明システム全体の厚さの増大を抑えることができる。
【００２５】
図３は、本発明による照明システムの構成例を示す図であって、照明システムの正面概略図、図４は、図３に示す照明システムの側断面概略図である。
本実施形態においては、上述したような単体の照明モジュール１０ａ，１０ｂを二つ組み合わせて、所定の照明領域を持った照明システム１を構築する。各照明モジュール１０ａ，１０ｂは、上記図１，２で説明した照明モジュール１０と同じものである。
【００２６】
この場合、図３に示すように、照明システム１は、二つの照明モジュール１０ａ，１０ｂの一部を前後方向に重ね合わせて作成される。これにより、二つの導光板１３の出射面１３ｇから光がそれぞれ出射し、広い領域で被照明体を照明することができる。このとき、図４に示すように、前面側に重ねられた照明モジュール１０ａの導光板１３の背面には、この照明モジュール１０ａのバックライトシャーシ１１が存在しているため、その背後に重ねられた別の照明モジュール１０ｂの導光板１３からの光は、照明モジュール１０ａのバックライトシャーシ１１で遮られている。
【００２７】
ここでは、図３，４に示すように、二つの隣接する照明モジュール１０ａ，１０ｂにおいて、右側に位置する一方の照明モジュール１０ａのＬＥＤ１５を照明システム１の上側に配置し、左側に位置する他方の照明モジュール１０ｂのＬＥＤ１５を、その反対側の側面である照明システム１の下側に配置している。この場合、照明モジュール１０ｂの明るさが照明モジュール１０ａの明るさに比べて落ちやすくなる。そこで、照明モジュール毎の明るさを調整している。
【００２８】
図５は、図３に示す照明システムを構成する単体の照明モジュールのブロック図である。照明モジュール１０ａのＬＥＤ電源制御部１７は、制御ＣＰＵ２０、メモリ２１、及び光源駆動部２２を備え、ＬＥＤ１５を用いたバックライトに対して、例えば８ビット２５６段階の調光制御を行うことが可能である。
また、照明モジュール１０ａは、その正面側の適宜位置にリモコン受光部２３を備えている。リモコン受光部２３が本発明の受信部に相当し、例えば、ユーザが操作するリモコンＲから操作信号を受光し、この操作信号を制御ＣＰＵ２０に出力する。
【００２９】
メモリ２１は、本発明の記憶部に相当し、各種のプログラムやデータを記憶させる例えば不揮発性メモリなどで構成される。詳しくは、メモリ２１は、照明モジュール１０ａの明るさ調整に関するデータとして、そのバックライトに設定可能なデューティと当該バックライトに供給する電流値とを対応付けたデータテーブルを記憶している。
制御ＣＰＵ２０は、ユーザがリモコンＲを操作してバックライトのデューティを変えた場合、このデューティの変化に応じてメモリ２１のデータテーブルを参照することにより、バックライトに供給する電流値を決定する。なお、制御ＣＰＵ２０が本発明の制御部に相当する。
【００３０】
光源駆動部２２は、制御ＣＰＵ２０からの制御信号にしたがって、バックライトのＬＥＤ１５を駆動させる。
なお、図５では、照明モジュール１０ａの例を挙げて説明したが、別の照明モジュール１０ｂのＬＥＤ電源制御部１７についても、照明モジュール１０ｂのＬＥＤ１５を用いたバックライトの調光レベルを調整可能である。
【００３１】
ここで、上記のように、照明モジュール１０ａの背後に別の照明モジュール１０ｂを重ねて照らすと、この背面側に位置する照明モジュール１０ｂの導光板１３の明るさと、前面側に位置する照明モジュール１０ａの導光板１３の明るさとが異なることがある。そのため、本実施形態では、１台のリモコンで照明モジュール毎の明るさを調整可能にしている。
【００３２】
具体的には、ユーザがリモコンＲの設定ボタンＢ１を長押し（例えば３秒間）した場合、まず、照明モジュール１０ａの制御ＣＰＵ２０は、照明モジュール１０ａが選択された旨を判定し、照明モジュール１０ａのＬＥＤ１５を点滅させる。
次に、ユーザがリモコンＲの調光ボタンＢ２を押すと、照明モジュール１０ａの明るさを変更できる。例えば、照明モジュール１０ａのＬＥＤ１５が点滅した状態で、調光ボタンＢ２の上側を押せば、その制御ＣＰＵ２０が照明モジュール１０ａを明るくする旨を判定し、そのバックライトのデューティを広くしてＬＥＤ１５を１段階ずつ明るくする。一方、調光ボタンＢ２の下側を押せば、制御ＣＰＵ２０が照明モジュール１０ａを暗くする旨を判定し、そのバックライトのデューティを狭くしてＬＥＤ１５を１段階ずつ暗くする。
【００３３】
続いて、ユーザがリモコンＲの確定ボタンＢ３を押すと、照明モジュール１０ａの制御ＣＰＵ２０は、照明モジュール１０ａへの設定が完了した旨を判定し、照明モジュール１０ａの明るさが確定する。
照明モジュール１０ａの制御ＣＰＵ２０と次の照明モジュール、つまり、照明モジュール１０ｂの制御ＣＰＵ２０とは信号を送受可能に構成されており、照明モジュール１０ａの制御ＣＰＵ２０が照明モジュール１０ａへの設定完了を判定した場合、その制御ＣＰＵ２０が背面側に位置する照明モジュール１０ｂの制御ＣＰＵ２０に信号を送信する。
【００３４】
照明モジュール１０ｂの制御ＣＰＵ２０は、照明モジュール１０ａからの信号を受信すると、照明モジュール１０ｂが選択された旨を判定し、制御対象が照明モジュール１０ａから照明モジュール１０ｂに切り替わる。これにより、その制御ＣＰＵ２０は、照明モジュール１０ｂのＬＥＤ１５を点滅させ、照明モジュール１０ｂの明るさが調整可能になる。なお、上述の照明モジュール１０ａへの設定が完了した場合、設定した調光レベルを例えば点滅回数等で知らせた後に、制御対象を照明モジュール１０ｂに切り替えてもよい。
【００３５】
なお、上記照明モジュール１０ａのＬＥＤ１５が点滅した状態において、同じく設定ボタンＢ１をさらに長押し（例えば３秒間）した場合（若しくは確定ボタンＢ３を押した場合）、照明モジュール１０ａの制御ＣＰＵ２０が信号を送信し、制御対象を照明モジュール１０ａから次の照明モジュール１０ｂに切り替えてもよい。あるいは、図５に示したリモコンＲのボタンＢ１，Ｂ３の手前側に設けられた各ボタンを、照明モジュール１０ａ，１０ｂを特定するために利用することも可能である。
【００３６】
図６は、本発明による照明システムの他の構成例を示す図であって、照明システムの平面概略図及び正面概略図である。
本実施形態においては、上述したような単体の照明モジュール１０ａ〜１０ｄを四つ組み合わせて、所定の照明領域を持った照明システム１ａを構築する。各照明モジュール１０ａ〜１０ｄは、上記図１，２で説明した照明モジュール１０と同じものである。
【００３７】
詳しくは、図６に示すように、照明モジュール１０ａのＬＥＤ１５を照明システム１ａの上側に配置し、照明モジュール１０ｂのＬＥＤ１５を照明システム１ａの下側に配置すると共に、二つの照明モジュール１０ａ，１０ｂの各導光板１３が面一になるように上下に並べている。
二つの照明モジュール１０ｃ，１０ｄについても同様に、各導光板１３が面一になるように上下に並べるが、照明システム１ａでは、右側に位置する照明モジュール１０ａ，１０ｂの背後に照明モジュール１０ｃ，１０ｄの一部を重ねている。
【００３８】
図６の平面概略図に示すように、右側に位置する照明モジュール１０ａ，１０ｂが、左側に位置する照明モジュール１０ｃ，１０ｄよりも前面側に配置されている。このため、左側に位置する照明モジュール１０ｃ，１０ｄの各導光板１３の明るさが、右側に位置する照明モジュール１０ａ，１０ｂの各導光板１３の明るさに比べて落ちやすくなる。そこで、照明モジュール毎の明るさを１台のリモコンで調整可能にしている。
【００３９】
例えば、左側に位置する照明モジュール１０ｃ，１０ｄを、右側に位置する照明モジュール１０ａ，１０ｂよりも明るくする例で説明する。まず、図５で説明したリモコンＲの設定ボタンＢ１が長押し（例えば３秒間）された場合、右上に位置した照明モジュール１０ａの制御ＣＰＵ２０が、照明モジュール１０ａのＬＥＤ１５を点滅させる。
この照明モジュール１０ａは照明モジュール１０ｃ，１０ｄに比べて明るいため、確定ボタンＢ３が押されると、照明モジュール１０ａの制御ＣＰＵ２０は、照明モジュール１０ａの明るさを確定し、その下側に位置する照明モジュール１０ｂに信号を送信する。
【００４０】
次に、この照明モジュール１０ｂの制御ＣＰＵ２０が、照明モジュール１０ｂのＬＥＤ１５を点滅させる。この照明モジュール１０ｂも照明モジュール１０ｃ，１０ｄに比べて明るい場合には、確定ボタンＢ３が押され、照明モジュール１０ｂの制御ＣＰＵ２０は、照明モジュール１０ｂの明るさを確定し、照明モジュール１０ａの左側に位置する照明モジュール１０ｃに信号を送信する。
【００４１】
続いて、この照明モジュール１０ｃの制御ＣＰＵ２０が、照明モジュール１０ｃのＬＥＤ１５を点滅させる。この照明モジュール１０ｃは照明モジュール１０ａ，１０ｂに比べて暗くなっている。そこで、調光ボタンＢ２の上側が押され、照明モジュール１０ｃの制御ＣＰＵ２０が、調光ボタンＢ２を押した分だけ照明モジュール１０ｃのＬＥＤ１５に供給する電流量を大きくする。例えば、照明モジュール１０ｃの明るさが照明モジュール１０ａ，１０ｂと同等に達した場合、確定ボタンＢ３が押され、その制御ＣＰＵ２０は、照明モジュール１０ｃの明るさを確定する。
【００４２】
次いで、照明モジュール１０ｃの制御ＣＰＵ２０が、その下側に位置する照明モジュール１０ｄに信号を送信すると、その制御ＣＰＵ２０が、照明モジュール１０ｄのＬＥＤ１５を点滅させる。この照明モジュール１０ｄも照明モジュール１０ａ，１０ｂに比べて暗い場合には、例えば、照明モジュール１０ｄの明るさが照明モジュール１０ａ，１０ｂと同等に達するまで、調光ボタンＢ２の上側が押され、その制御ＣＰＵ２０が照明モジュール１０ｄのＬＥＤ１５に供給する電流量を大きくする。
【００４３】
照明モジュール１０ｄの明るさが照明モジュール１０ａ，１０ｂと同等に達した場合、確定ボタンＢ３が押される。これにより、その制御ＣＰＵ２０が照明モジュール１０ｄの明るさを確定するので、全ての照明モジュール１０ａ〜１０ｄへの設定が完了し、照明システム１ａの明るさを均一にすることができる。
なお、右側に位置する照明モジュール１０ａ，１０ｂのＬＥＤ１５に供給する電流量を、左側に位置する照明モジュール１０ｃ，１０ｄに比べて小さくして照明モジュール１０ａ，１０ｂを暗くすることにより、画面輝度の均一化を図ってもよい。
【００４４】
なお、上記実施例では、エッジライト型を例に挙げて説明したが、本発明は、直下型のバックライトを有した照明システムにも適用可能である。
【００４５】
以上、実施例について説明したが、本発明は、光源を配設した光源基板と、前記光源からの光を内部で拡散して出射させる導光板と、該導光板を背面側で保持する背面シャーシとを有し、前記光源を前記導光板の一つの側面に対向して設けた照明モジュールを複数配列し、少なくとも一部の隣接する前記照明モジュールにおいて、一方の前記導光板と前記背面シャーシの一部が他方の前記導光板と前記背面シャーシに重ねられた照明システムであって、リモコンからの送信信号を受信する受信部と、前記照明モジュール毎の明るさ調整に関するデータを記憶する記憶部と、前記受信部からの信号に基づき、前記記憶部を参照し、前記照明モジュール毎に明るさを調整する制御部とを有してもよい。
【００４６】
このように、隣接する照明モジュールの導光板を部分的に重ね合わせるため、任意の画面サイズに対応した照明領域を得ることができる。そして、照明モジュール毎に明るさを調整可能に構成するので、後側の導光板の明るさが前側の導光板の明るさに比べて落ちるのを防止でき、画面輝度の均一化を実現することができる。
【００４７】
また、前記制御部は、前記照明システムの明るさが均一になるように、背面側に位置する前記照明モジュールの光源に供給する電流量を、前面側に位置する前記照明モジュールの光源に供給する電流量よりも大きくしてもよい。この場合、後側の導光板の明るさが前側の導光板の明るさに比べて上がるので、照明システムの画面輝度を均一にすることができる。
【００４８】
また、前記記憶部と前記制御部は、前記照明モジュール毎に配置され、前記受信部は一つであり、前記受信部からの情報が複数の前記照明モジュール間で共用されてもよい。この場合、複数の照明モジュール間でリモコンの情報を共用できるため、照明モジュールを複数使用して所望の画面サイズの照明システムを構築した場合、１台のリモコンで種々の調整が可能になる。
【００４９】
また、前記受信部からの信号に応じて、前記光源が点滅してもよい。この場合、リモコン操作に応じて光源が点滅するので、表示パネルを持たない照明システムであっても、例えば、調光レベルを調整可能な状態にある等のサインとして利用することができる。
【符号の説明】
【００５０】
１，１ａ…照明システム、１０，１０ａ〜１０ｄ…照明モジュール、１１…バックライトシャーシ、１２…反射シート、１３…導光板、１３ｇ…出射面、１３ｈ〜１３ｋ…側面、１４…光源基板、１５…ＬＥＤ、１６…ベゼル、１７…ＬＥＤ電源制御部、２０…制御ＣＰＵ、２１…メモリ、２２…光源駆動部、２３…リモコン受光部。
【要約】
【課題】任意の画面サイズに対応した照明領域を得る際に、画面輝度の均一化を実現することができる照明システムを提供する。
【解決手段】光源１５を配設した光源基板と、光源からの光を内部で拡散して出射させる導光板と、導光板を背面側で保持する背面シャーシとを有し、光源を導光板の一つの側面に対向して設けた照明モジュールを複数配列し、少なくとも一部の隣接する照明モジュールにおいて、一方の導光板と背面シャーシの一部が他方の導光板と背面シャーシに重ねられた照明システムである。リモコンＲからの送信信号を受信する受信部２２と、照明モジュール毎の明るさ調整に関するデータを記憶する記憶部２１と、受信部からの信号に基づき、記憶部を参照し、照明モジュール毎に明るさを調整する制御部２０とを有する。
【選択図】図５【図１】
0005564596.tif 000002
【図２】
0005564596.tif 000003
【図３】
0005564596.tif 000004
【図４】
0005564596.tif 000005
【図５】
0005564596.tif 000006
【図６】
0005564596.tif 000007